(57)【要約】【課題】短時間で確実に媒体（通帳）１枚のみの頁めくりができるようにする。【解決手段】媒体を往復搬送させる搬送機構と、その搬送機構の搬送路の途中に設けられ、搬送される前記媒体を載置する平面を有する搬送ガイド面と、前記搬送ガイド面の上方に設けられためくりローラと、そのめくりローラと隣接し、その回転軸に回転自在に設けられた従動ローラと、その従動ローラに対して進出及び後退ができるように設けられたフィードローラと、前記回転軸と対向し、かつ、その回転軸の軸心方向に沿って前記搬送ガイド面に設けられた凹条溝と、前記めくりローラが１回転して前記媒体の頁めくりを行う際、そのめくりローラの回転前半時に前記フィードローラを前記従動ローラに当接させるように進出させ、そのめくりローラの回転後半時にそのフィードローラを前記従動ローラ側から離れるように後退させるフィードローラ制御手段とからなる。【選択図】      図１
2006044081.tif 000002
【特許請求の範囲】
【請求項１】
冊子からなる媒体を往復搬送させる搬送機構と、
前記搬送機構の搬送路の途中に設けられ、搬送される前記媒体を載置する平面を有する搬送ガイド面と、
前記搬送機構の搬送方向と直交し、かつ、前記搬送ガイド面から上方に所定距離保って設けられるとともに、その搬送ガイド面と平行する回転軸に設けられためくりローラと、  前記回転軸に設けられているめくりローラとその回転軸の軸心方向において隣接し、かつ、その回転軸に回転自在に設けられた従動ローラと、
前記従動ローラと対向して前記搬送ガイド面側に設けられ、その従動ローラに対して進出及び後退ができるように設けられたフィードローラと、
前記回転軸と対向し、かつ、その回転軸の軸心方向に沿って前記搬送ガイド面に設けられた凹条溝と、
前記めくりローラが１回転して前記媒体の頁めくりを行う際、そのめくりローラの回転前半時に前記フィードローラを前記従動ローラに当接させるように進出させ、そのめくりローラの回転後半時にそのフィードローラを前記従動ローラ側から離れるように後退させるフィードローラ制御手段と、
からなることを特徴とする頁めくり装置。
【請求項２】
請求項１に記載の頁めくり装置において、めくりローラは、所定の間隔を保って複数個設けられているとともに、従動ローラも所定の間隔を保って複数個設けられ、さらに、フィードローラもこれら複数個の従動ローラにそれぞれ対応して複数個設けられていることを特徴とする頁めくり装置。
【発明の詳細な説明】
【技術分野】
【０００１】
本発明は、金融機関の窓口に設置される通帳処理機や銀行のＡＴＭ等の冊子からなる媒体に対して所定の記帳処理を行う媒体処理機に組込まれる頁めくり装置に関する。
【背景技術】
【０００２】
従来、この種の頁めくり装置は、媒体処理機の印字部で頁めくりの必要が生じたときに媒体が印字部から頁めくり装置に送られるように構成されている。この頁めくり装置では、印字部から送られてきた媒体を従動ローラとフィードローラとで挟持したのち、めくりローラを回転させて頁めくりを行うようにしている（特許文献１参照）。また、頁めくりに際して媒体の最上位の頁のみを確実にめくることができるように、めくりローラの回転動作を制御するようにすることも提案されている（特許文献２参照）。
【特許文献１】特開２００３−１７５６８８号公報
【特許文献２】特開２００２−２１９８８６号公報
【発明の開示】
【発明が解決しようとする課題】
【０００３】
しかしながら、上記従来の頁めくり装置においては、媒体の状態が一様でないこともあって、２枚めくり等のめくりミスが発生することがあった。また、このようなめくりミスを防止するためにめくりローラの回転動作を制御しようとすると頁めくり時間が長くなり、したがって、媒体処理機の処理時間が長くなるという欠点があった。
【０００４】
そこで、本発明は、上記欠点を解決するためになされたものであって、その目的は、頁めくり時間を短縮でき、しかも、確実に１枚ずつ頁めくりのできる頁めくり装置を提供することにある。
【課題を解決するための手段】
【０００５】
本発明に係る頁めくり装置は、上記目的を達成するために、請求項１に記載の発明は、冊子からなる媒体を往復搬送させる搬送機構と、その搬送機構の搬送路の途中に設けられ、搬送される前記媒体を載置する平面を有する搬送ガイド面と、前記搬送機構の搬送方向と直交し、かつ、前記搬送ガイド面から上方に所定距離保って設けられるとともに、その搬送ガイド面と平行する回転軸に設けられためくりローラと、前記回転軸に設けられているめくりローラとその回転軸の軸心方向において隣接し、かつ、その回転軸に回転自在に設けられた従動ローラと、その従動ローラと対向して前記搬送ガイド面側に設けられ、その従動ローラに対して進出及び後退ができるように設けられたフィードローラと、前記回転軸と対向し、かつ、その回転軸の軸心方向に沿って前記搬送ガイド面に設けられた凹条溝と、前記めくりローラが１回転して前記媒体の頁めくりを行う際、そのめくりローラの回転前半時に前記フィードローラを前記従動ローラに当接させるように進出させ、そのめくりローラの回転後半時にそのフィードローラを前記従動ローラ側から離れるように後退させるフィードローラ制御手段と、からなることを特徴としている。
本発明の請求項２に記載の頁めくり装置は、めくりローラは、所定の間隔を保って複数個設けられているとともに、従動ローラも所定の間隔を保って複数個設けられ、さらに、フィードローラもこれら複数個の従動ローラにそれぞれ対応して複数個設けられていることを特徴としている。
【発明の効果】
【０００６】
本発明の請求項１に記載の頁めくり装置は、冊子からなる媒体を往復搬送させる搬送機構と、その搬送機構の搬送路の途中に設けられ、搬送される前記媒体を載置する平面を有する搬送ガイド面と、前記搬送機構の搬送方向と直交し、かつ、前記搬送ガイド面から上方に所定距離保って設けられるとともに、その搬送ガイド面と平行する回転軸に設けられためくりローラと、前記回転軸に設けられているめくりローラとその回転軸の軸心方向において隣接し、かつ、その回転軸に回転自在に設けられた従動ローラと、その従動ローラと対向して前記搬送ガイド面側に設けられ、その従動ローラに対して進出及び後退ができるように設けられたフィードローラと、前記回転軸と対向し、かつ、その回転軸の軸心方向に沿って前記搬送ガイド面に設けられた凹条溝と、前記めくりローラが１回転して前記媒体の頁めくりを行う際、そのめくりローラの回転前半時に前記フィードローラを前記従動ローラに当接させるように進出させ、そのめくりローラの回転後半時にそのフィードローラを前記従動ローラ側から離れるように後退させるフィードローラ制御手段とからなるので、めくりローラの回転後半において、媒体がフィードローラから解放されるから、最上位の頁以下の頁がその最上位の頁につられて移動される力が消滅し、最上位の頁のみがめくりローラに同伴されてめくられ、これにより、短時間で、しかも、確実に１枚のみの頁めくりを行うことができる。したがって、この頁めくり装置を組込んだ媒体処理機の処理時間を短縮することが可能となる。
本発明の請求項２に記載の頁めくり装置は、めくりローラは、所定の間隔を保って複数個設けられているとともに、従動ローラも所定の間隔を保って複数個設けられ、さらに、フィードローラもこれら複数個の従動ローラにそれぞれ対応して複数個設けられているので、円滑な頁めくりを行うことができる。
【発明を実施するための最良の形態】
【０００７】
以下、本発明を実施するための最良の形態を図面に基づいて説明する。図１は、本発明に係る頁めくり装置ａを金融機関の係員窓口に設置される通帳処理機ｂに組込んだときの概略構成図である。
【０００８】
図１中、ｂ0 は入出口であって、頁めくり装置ａの筐体に設けられ、この入出口ｂ0 を介して本発明の媒体に相当する通帳Ｎを通帳処理機ｂに挿入し、また、その挿入した通帳Ｎを受け取ることができるように構成されている。そして、この入出口ｂ0 の内側には、太い一点鎖線で示される本発明の搬送機構をなす水平状の搬送路Ｌが形成されている。この搬送路Ｌは、搬送モータＭ1 で回転駆動される送りローラｒ1 と、その送りローラｒ1 に対設された回転自在な押えローラｒ2 とを所定の間隔を保って配置して構成されている。すなわち、この搬送路Ｌは、送りローラｒ1 及び押えローラｒ2 の接合位置が水平状の一直線を形成するように、そして、少なくとも１つの送りローラｒ1 及び押えローラｒ2 の接合位置が、常時、通帳Ｎに位置する所定の間隔を保って配置されて構成されている。なお、押えローラｒ2 は、周知の通帳処理機の搬送路と同様に、送りローラｒ1 に対して図示しないばねを介して常時付勢されるように構成され、通帳Ｎを送りローラｒ1 及び押えローラｒ2 で所定の圧力をもって挟持できるように構成されている。
【０００９】
上記搬送路Ｌ上には、入出口ｂ0 側から順に、入出部ｂ1 、読取書込部ｂ2 、印字部ｂ3 及び本発明に係る頁めくり装置部ａが設けられている。上記入出部ｂ1 には、光電素子からなるセンサＳが設けられていて、そのセンサＳが入出口ｂ0 に通帳Ｎが挿入されたことを検出したときに搬送路Ｌを介してその通帳Ｎを読取書込部ｂ2 側に取込み、また、読取書込部ｂ2 側から入出部ｂ1 に送られてきた通帳Ｎがその入出部ｂ1 から取出されたことを検出できるように構成されている。
【００１０】
上記読取書込部ｂ2 は、光学読取器Ｏが設けられていて、通帳の各冊子に記載されている頁を示す所定の記号（マーク）を読取ることができるように構成されている。また、この読取書込部ｂ2 には、磁気ヘッドＨが設けられていて、通帳に設けられている磁気データ記録に記録されているデータを読取り、必要に応じて新たなデータを書込み、その書込んだデータをチェックできるように構成されている。また、印字部ｂ3 には、印字ヘッド及びプラテンからなるプリンタＰが設けられていて、通帳Ｎの所定位置（記帳欄）に所定の内容を印字できるように構成されている。なお、搬送路Ｌの途中には、通帳Ｎの搬送位置を検出する多数のセンサが設けられているが、ここでは省略されている。
【００１１】
次に、図１のＡ−Ａ線拡大断面図である図２及び図２のＢ−Ｂ線断面図である図３を用いて頁めくり装置ａについて説明する。この頁めくり装置ａの設けられている搬送路Ｌには、通帳Ｎを載置することのできる偏平な面からなる搬送ガイド面１が設けられているとともに、その搬送ガイド面１の上面の一部に搬送路Ｌの搬送方向と直交する方向に伸びた凹条溝２が設けられている。そして、この凹条溝２の上方にめくりローラ３及び従動ローラ（アイドリングローラ）４が設けられている。また、搬送ガイド面１側でその搬送ガイド面１に設けられている窓１′内には、従動ローラ４に対向して搬送モータＭ1 で回転駆動されるフィードローラ５が設けられている。
【００１２】
すなわち、めくりローラ３は、搬送ガイド面１の凹条溝２の上方において、搬送路Ｌの搬送方向と直交し、かつ、搬送ガイド面１から上方に所定の距離を保って平行に設けられた回転軸６に所定の間隔を保って複数個（図示の例では３個）設けられている。そして、この回転軸６は、めくりモータＭ2 により回転駆動されるように構成されている。また、従動ローラ４は、めくりローラ３に回転軸６の軸心方向において隣接する形でめくりローラ３と同じ回転軸６に回転自在に複数個（図示の例では２個）設けられている。なお、図示しないが、回転軸６には、スリット円板が設けられている。そして、このスリット円板は、ホトセンサからなるセンサ（図示せず）によりめくりローラ３の回転位置が検出されるように構成されている。
【００１３】
各従動ローラ４，４にそれぞれ対向して設けられるフィードローラ５，５は、同一の回転軸７に設けられていて、この回転軸７が搬送モータＭ1 により回転されると同時に回転できるように構成されている。そして、この回転軸７は、図示しない駆動源により上下方向に移動できるように構成されている。すなわち、回転軸７が上方へ移動したときには、フィードローラ５，５を従動ローラ４，４にそれぞれ所定の圧力で当接して、従動ローラ４，４及びフィードローラ５，５間に位置する通帳を所定の圧力で挟持できるように、また、回転軸７が下方へ移動したときは、フィードローラ５，５が従動ローラ４，４から十分に離れて通帳の挟持力を解消できるように構成されている。なお、上述の従動ローラ４，４及びフィードローラ５，５間の挟持力は、その間に位置する通帳の頁数の枚数に関係なく、常時、一定となるように図示しない調整機構により調整されている。
【００１４】
図中、Ｇ1 ，Ｇ2 はガイドであって、めくりローラ３を中心にして搬送路Ｌの搬送方向の前後両側にそれぞれ設けられている。これらガイドＧ1 ，Ｇ2 は、上記特許文献１に示される周知のガイドと同様に構成されていて、めくりローラ３から離れた端部が回転自在に軸支されていて、その軸支位置を中心にして図示しない駆動源により回転上下動できるように構成されている。この回転動については後述する。
【００１５】
図１中、Ｃは、ＣＰＵを中心に構成された本発明のフィードローラ制御手段を担う制御器であって、上記頁めくり装置ａを含む通帳処理機ｂ全体を統括的に制御できるように構成されている。したがって、この制御器Ｃにより上述した各モータＭ1 ，Ｍ2 等の各部材も駆動制御されるように構成されている。
【００１６】
以下、上記構成からなる頁めくり装置ａの頁めくり動作を図４〜図７を用いて説明する。今、印字部ｂ3 において通帳Ｎの記帳欄が満杯になって次頁に印字する必要が生じたとする。すなわち、図４（ａ）において通帳Ｎの左側の頁の頁めくり（以下、これを「正めくり」という。）の必要が生じたとする。この場合、通帳Ｎは、搬送路Ｌ（送りローラｒ1 及び押えローラｒ2 ）を介して頁めくりされる頁のほぼ中央位置にめくりローラ３が位置するまで搬送される。この搬送に際しては、フィードローラ５も従動ローラ４に当接するように上方に位置していて搬送路Ｌの機能を果たしている。なお、図４（ｂ）は、同図（ａ）をＣ−Ｃ線で断面した断面図である。
【００１７】
通帳Ｎが図４（ａ）に示される位置まで搬送されたのち、図５（ａ）に示されるように、めくりローラ３がめくりモータＭ2 の回転により図４（ａ）に示されるホームポジションの位置から反時計方向に回転が開始されるとともに、ガイドＧ2 が上方へ移動される。めくりローラ３の回転により通帳Ｎの最上位の頁（中紙）Ｎ′のめくりが開始され、さらに、ガイドＧ2 が上方へ回動していることにより最上位の頁Ｎ′の湾曲が円滑に行われる。この状態においてフィードローラ５は上方へ維持されている。したがって、図５（ａ）をＤ−Ｄ線に沿って断面したときの通帳Ｎの形状は、同図（ｂ）に示されるように、めくりローラ３、フィードローラ５及び凹条溝２によって大きく波打っている状態にある。したがって、めくりローラ３により通帳Ｎの最上位の頁が強力に引っ張られている状態にある。これにより、最上位の頁がめくられないという不都合は効果的に回避される。
【００１８】
めくりローラ３の回転が半回転したのち、フィードローラ５は、図６（ａ）に示されるように下方へ移動される。すなわち、フィードローラ５は、めくりローラ３の回転の前半は従動ローラ４に当接するように上方に位置し、そのめくりローラ３の回転の後半は、従動ローラ４から離れる方向に移動される。このときの図６（ａ）のＥ−Ｅ線断面図の同図（ｂ）に示されるように、通帳の波打ちの状態は緩和され、仮に最上位の頁Ｎ′の以下の頁（２枚目以降の頁（中紙））がその最上位の頁Ｎ′に同伴されて（引きずられて）めくられようとしていても、通帳Ｎの下側が解放状態にあるので最上位の頁Ｎ′以外はめくりローラ３から解放され、２枚めくりあるいはそれ以上の頁が同時にめくられるという不都合を効果的に回避することができる。
【００１９】
図７は、めくりローラ３が１回転して上記図４（ａ）と同じホームポジションの位置に達した状態を示している。この状態で最上位の頁Ｎ′のみがめくりローラ３とガイドＧ2 との間に位置している。
【００２０】
図８は、上記図７の状態から通帳Ｎを搬送路Ｌを介して印字部ｂ3 へ搬送している途中の状態を示している。この場合、通帳Ｎの搬送の円滑を図るために、フィードローラ５は上方へ移動され、搬送路Ｌの機能を果たしている。通帳Ｎが印字部ｂ3 に搬送されると、最上位の頁Ｎ′は完全にめくられて頁めくり動作は終了となる。そして、頁めくりされたのち、ガイドＧ2 は元に位置（図４（ａ）の位置）に復帰される。
【００２１】
上記構成からなる頁めくり装置ａは、従来の頁めくり装置よりも大幅にめくり時間を短縮することができる。例えば、めくりミスを解消するためにめくりローラの回転に変化を与えるような工夫の行われている頁めくり装置におけるめくり時間は約７秒要していたが、本発明に係る頁めくり装置ａでは、約２．５秒で、確実に１枚のみの頁めくりを行うことができる。
【００２２】
なお、上述例では、頁めくりを正めくりとして説明したが、図４（ａ）において通帳Ｎの右側の頁をめくる逆めくりの場合は、その右側の頁のほぼ中央位置にめくりローラ３が位置される。そして、めくりローラ３は、図５（ａ）において時計方向に回転されるとともに、ガイドＧ1 が上方へ回動させられる。この逆めくりの場合も、フィードローラ５は、めくりローラ３の回転前半時は従動ローラ４側に位置し、めくりローラ３の回転後半時は従動ローラ４から離れるように位置する。
【００２３】
また、上述の例では、頁めくり装置ａが通帳処理機ｂに組込まれた例を示したが、ＡＴＭ等の他の媒体処理機に組込まれてもよいことはもちろんである。
【図面の簡単な説明】
【００２４】
【図１】本発明の頁めくり装置を通帳処理機に組込んだときの概略構成図である。
【図２】図１のＡ−Ａ線拡大断面図である。
【図３】図２のＢ−Ｂ線断面図である。
【図４】（ａ）は、本発明に係る頁めくり装置の動作を説明するための説明図、（ｂ）は、（ａ）のＣ−Ｃ線断面図である。
【図５】（ａ）は、本発明に係る頁めくり装置の動作を説明するための説明図、（ｂ）は、（ａ）のＤ−Ｄ線断面図である。
【図６】（ａ）は、本発明に係る頁めくり装置の動作を説明するための説明図、（ｂ）は、（ａ）のＥ−Ｅ線断面図である。
【図７】本発明に係る頁めくり装置の動作を説明するための説明図である。
【図８】本発明に係る頁めくり装置の動作を説明するための説明図である。
【符号の説明】
【００２５】
ａ  頁めくり装置
Ｌ  搬送路（搬送機構）
Ｍ1   搬送モータ
Ｍ2   めくりモータ
１  搬送ガイド面
２  凹条溝
３  めくりローラ
４  従動ローラ
５  フィードローラ
６，７  回転軸
Ｇ1 ，Ｇ2   ガイド
【図１】
2006044081.tif 000003
【図２】
2006044081.tif 000004
【図３】
2006044081.tif 000005
【図４】
2006044081.tif 000006
【図５】
2006044081.tif 000007
【図６】
2006044081.tif 000008
【図７】
2006044081.tif 000009
【図８】
2006044081.tif 000010